(57)【要約】【課題】非記録動作時の記録ヘッドからディスク記録媒体への外部磁界による媒体上の情報劣化を防止した構造の磁気ヘッド及びこれを用いた磁気ディスク装置を提供することにある。【解決手段】記録層と記録層の下部に軟磁性層を有し、中心から同心円状に複数のトラックを配置したディスク記録媒体に情報を記録する記録ヘッドで、ディスク記録媒体の記録層をディスク記録媒体の表面に対して垂直方向に磁化するための磁界を発生する主磁極と、この主磁極のトラック幅方向側面に軟磁気特性を有するを安定化磁化膜とを具備して主磁極内部の磁区を安定化させ、非記録動作時のディスク記録媒体上に既に記録されている情報の劣化および消去を防止する。【選択図】      図２
2004310968.tif 000002
【特許請求の範囲】
【請求項１】
記録層と当該記録層の下部に軟磁性層を有し、中心から同心円状に複数のトラックを配置したディスク記録媒体に情報を記録する磁気ヘッドであって、
前記記録層を前記ディスク記録媒体の表面に対して垂直方向に磁化するための磁界を発生する主磁極と、
前記主磁極の前記トラックの幅方向側面に軟磁気特性を有するを安定化磁化膜と
を具備したことを特徴とする磁気ヘッド。
【請求項２】
前記安定化磁化膜は前記ディスク記録媒体に対向する端部と、当該端部以外の基礎部を有し、前記端部の前記ディスク記録媒体の表面と平行な面で切断した断面積が、前記基礎部のそれよりも小さい
ことを特徴とする請求項１記載の磁気ヘッド。
【請求項３】
前記主磁極は前記ディスク記録媒体に対向する主磁極端部と前記ディスク記録媒体対向面方向で、前記ディスク記録媒体から前記主磁極端部よりも離れた位置に主磁極他端部を有し、
前記安定化磁化膜は前記主磁極他端部に対向する他端部対向部と、前記主磁極の側面部に対向する側面部対向部と
を有することを特徴とする請求項１記載の磁気ヘッド。
【請求項４】
前記安定化磁化膜は前記ディスク記録媒体に対向する安定化磁化膜端部と、当該安定化磁化膜端部以外の基礎部からなり、前記安定化磁化膜端部の前記ディスク記録媒体の表面と平行な面で切断した断面積が、前記基礎部のそれよりも小さい
ことを特徴とする請求項３記載の磁気ヘッド。
【請求項５】
前記他端部対向部と、前記側面部対向部とが同一材料で形成される
ことを特徴とする請求項３記載の磁気ヘッド。
【請求項６】
記録層と当該記録層の下部に軟磁性層を有し、中心から同心円状に複数のトラックを有し、所定の方向に回転駆動されるディスク記録媒体に情報を記録する磁気ヘッドであって、
前記ディスク記録媒体の記録層を前記ディスク記録媒体の表面に対して垂直方向に磁化するための磁界を発生する主磁極と、
前記主磁極に対し前記ディスク記録媒体の回転方向に所定の間隔を有して配置され、前記主磁極から発生した磁界を前記ディスク記録媒体の軟磁性層を経由して引き込むための補助磁極と、
前記主磁極の前記トラックの幅方向側面に軟磁気特性を有するを安定化磁化膜と、
前記補助磁極と前記安定化磁化膜を磁気的に結合する接合部材と
を具備したことを特徴とする磁気ヘッド。
【請求項７】
前記主磁極は前記ディスク記録媒体に対向する主磁極端部と前記ディスク記録媒体対向面方向で、前記ディスク記録媒体から前記主磁極端部よりも離れた位置に主磁極他端部を有し、
前記安定化磁化膜は前記主磁極他端部に対向する他端部対向部と、前記主磁極の側面部に対向する側面部対向部とを有し、
前記接合部材は前記安定化磁化膜の前記他端部対向部と前記補助磁極とを磁気的に結合している
ことを特徴とする請求項６記載の磁気ヘッド。
【請求項８】
前記安定化磁化膜は前記補助磁極に対し前記ディスク記録媒体の回転方向に所定の間隔を有して配置され、前記接合部材は前記安定化磁化膜と前記補助磁極に接触するように配置されるとともに、
前記安定化磁化膜と前記補助磁極との間で、且つ、前記接合部材を取り囲むように配置されたコイルと
を有することを特徴とする請求項６記載の磁気ヘッド。
【請求項９】
前記安定化磁化膜の前記他端部対向部と前記補助磁極とを磁気的に接合する接合部材を取り囲むように配置されたコイルと
を有することを特徴とする請求項７記載の磁気ヘッド。
【請求項１０】
前記安定化磁化膜は前記ディスク記録媒体の表面に対向する安定化磁化膜端部と、当該安定化磁化膜端部以外の基礎部からなり、前記安定化磁化膜端部の前記ディスク記録媒体面と平行な面で切断した断面積が、前記基礎部のそれよりも小さい
ことを特徴とする請求項６記載の磁気ヘッド。
【請求項１１】
記録層と当該記録層の下部に軟磁性層を有し、中心から同心円状に複数のトラックを有し、所定の方向に回転駆動されるディスク記録媒体に情報を記録する磁気ヘッドであって、
前記ディスク記録媒体の記録層を前記ディスク記録媒体の表面に対して垂直方向に磁化するための磁界を発生する主磁極と、
前記ディスク記録媒体の回転方向に突出部を有し、前記主磁極の前記トラックの幅方向側面に配置され軟磁気特性を有する安定化磁化膜と、
前記突出部を取り囲むように配置されたコイルと
を具備したことを特徴とする磁気ヘッド。
【請求項１２】
記録層と当該記録層の下部に軟磁性層を有し、中心から同心円状に複数のトラックが配置されデータ信号の磁気記録が可能なディスク記録媒体と、
前記ディスク記録媒体の記録層を前記ディスク記録媒体の表面に対して垂直方向に磁化する磁界を発生する記録ヘッドと、前記ディスク記録媒体から磁化情報を読出す再生ヘッドと、前記主磁極の前記トラックの幅方向側面に軟磁気特性を有するを安定化磁化膜とを有する磁気ヘッドと、
前記磁気ヘッドを前記ディスク記録媒体上の所定の位置に移動可能に保持するヘッド支持手段と、
前記ヘッド支持手段を駆動及び前記ディスク記録媒体と前記磁気ヘッド間のデータ信号のやり取りを制御する制御手段と
を具備したことを特徴とする磁気ディスク装置。
【請求項１３】
記録層と当該記録層の下部に軟磁性層を有し、中心から同心円状にデータ信号の磁気的な記録が可能な複数のトラックが配置され所定の方向に回転駆動されるディスク記録媒体と、
前記ディスク記録媒体の記録層を前記ディスク記録媒体の表面に対して垂直方向に磁化するための磁界を発生する主磁極と、前記主磁極に対し前記ディスク記録媒体の回転方向に所定の間隔を有して配置され、前記主磁極から発生した磁界を前記ディスク記録媒体の軟磁性層を経由して引き込むための補助磁極とを有する記録ヘッドと、前記ディスク記録媒体から磁化情報を読出す再生ヘッドと、前記主磁極の前記トラックの幅方向側面に軟磁気特性を有するを安定化磁化膜と、前記補助磁極と前記安定化磁化膜を磁気的に結合する接合部材とを有する磁気ヘッドと、
前記磁気ヘッドを前記ディスク記録媒体上の所定の位置に移動可能に保持するヘッド支持手段と、
前記ヘッド支持手段を駆動及び前記ディスク記録媒体と前記磁気ヘッド間のデータ信号のやり取りを制御する制御手段と
を具備したことを特徴とする磁気ディスク装置。
【請求項１４】
記録層と当該記録層の下部に軟磁性層を有し、中心から同心円状にデータ信号の磁気的な記録が可能な複数のトラックが配置され所定の方向に回転駆動されるディスク記録媒体と、
前記ディスク記録媒体の記録層を前記ディスク記録媒体の表面に対して垂直方向に磁化するための磁界を発生する記録ヘッドと、前記ディスク記録媒体から磁化情報を読出す再生ヘッドと、前記ディスク記録媒体の回転方向に突出部を有し、前記記録ヘッドの前記トラックの幅方向側面に配置され軟磁気特性を有する安定化磁化膜と、前記突出部を取り囲むように配置されたコイルとを有する磁気ヘッドと、
前記磁気ヘッドを前記ディスク記録媒体上の所定の位置に移動可能に保持するヘッド支持手段と、
前記ヘッド支持手段を駆動及び前記ディスク記録媒体と前記磁気ヘッド間のデータ信号のやり取りを制御する制御手段と
を具備したことを特徴とする磁気ディスク装置。
【発明の詳細な説明】
【０００１】
【発明の属する技術分野】
本発明は、ディスク装置のヘッド構造に関し、特に垂直記録用磁気ヘッド及びこれを用いた磁気ディスク装置に関する。
【０００２】
【従来の技術】
情報記録再生装置のひとつである磁気ディスク装置、所謂ハードディスク装置（以下、ＨＤＤと称する）は、主にパーソナルコンピュータに使用されてきたが、最近では、その使用範囲が拡大し、オーディオビジュアル機器（ＡＶ機器）やカーナビゲーションなどの車載機器として使用されるようになってきた。ＨＤＤの記憶容量は益々増大の要求があり、そのための高記録密度を達成するために垂直記録方式が提案されてきている。
【０００３】
垂直記録方式のＨＤＤには、垂直記録用磁気ヘッドが用いられるが、一般的にその構造は外部磁界に弱く、外部から大きな磁界が記録ヘッドの磁極に加わると書き込みと同等の現象が起こり、磁気記録媒体上の既にデータが記録されているトラックの情報を消してしまったり、不定なデータを書き込んでしまうなどの問題が明らかになってきた。
【０００４】
そこで、上述のような記録ヘッドへの外部からの磁界の回りこみを防止する技術として特開平５−８１６１９号公報に記載された外磁界防止技術が提案されている。
これら先行技術には、具体的には薄膜磁気ヘッドに外部磁界が侵入するのを防止するために、ヘッド支持先端部（ヘッドトレーリングエッジ側）にバルクでシールドを形成するヘッド構造が開示されている。このシールドは記録ヘッドの媒体対向面に対して記録ヘッドの上部のみに形成され、また、軟磁性材料から成ることが開示されている。
【０００５】
【特許文献１】
特開平５−８１６１９号公報（第２頁、図１）
【０００６】
【発明が解決しようとする課題】
しかし、垂直磁気記録方式を採用するＨＤＤにおいて、記録ヘッドに外部磁界が加わることによる媒体上の既存信号劣化を防止するためには、記録ヘッドの上部より媒体面に対して垂直方向、すなわち、ディスク記録媒体のトラック幅方向側面から進入する磁化を防止することが重要であることが近年わかってきた。このため、記録ヘッドの主磁極のディスク対向面から離れた上部のみに軟磁性層を配置した上記先行技術では、主磁極先端の磁区の安定化は図れるものの、媒体面に対して垂直方向から、すなわち、側面からの外磁界の進入を防止することは難しかった。
【０００７】
また、高密度化対応の垂直記録用薄膜ヘッドは、トラック幅方向に容易軸を有する磁区構造となっているが、近年狭トラック化が進み、トラック幅方向形状異方性が弱く、記録ヘッドの磁区が不安定になりやすくなっており、そのため、非記録動作時においても、媒体上に磁界が加わり、ディスク記録媒体上に既に記録されている記録信号の品質を劣化させたり、信号消去が起こったりするという問題が現れてきた。
【０００８】
そこで、本発明の目的は、上記問題を解決するためになされるもので、非記録動作時の記録ヘッドからディスク記録媒体への外部磁界による媒体上の情報劣化を防止した構造の磁気ヘッド及びこれを用いた磁気ディスク装置を提供することを目的とする。
【０００９】
【課題を解決するための手段】
上記目的を達成するため、本発明に係る磁気ヘッドは、記録層と当該記録層の下部に軟磁性層を有し、中心から同心円状に複数のトラックを配置したディスク記録媒体に情報を記録する磁気ヘッドであって、前記記録層を前記ディスク記録媒体の表面に対して垂直方向に磁化するための磁界を発生する主磁極と、前記主磁極の前記トラックの幅方向側面に軟磁気特性を有するを安定化磁化膜とを具備したことを特徴とするものである。
【００１０】
また、本発明に係る磁気ディスク装置は、記録層と当該記録層の下部に軟磁性層を有し、中心から同心円状に複数のトラックが配置されデータ信号の磁気記録が可能なディスク記録媒体と、前記ディスク記録媒体の記録層を前記ディスク記録媒体の表面に対して垂直方向に磁化する磁界を発生する記録ヘッドと、前記ディスク記録媒体から磁化情報を読出す再生ヘッドと、前記主磁極の前記トラックの幅方向側面に軟磁気特性を有するを安定化磁化膜とを有する磁気ヘッドと、前記磁気ヘッドを前記ディスク記録媒体上の所定の位置に移動可能に保持するヘッド支持手段と、前記ヘッド支持手段を駆動及び前記ディスク記録媒体と前記磁気ヘッド間のデータ信号のやり取りを制御する制御手段とを具備したことを特徴とするものである。
【００１１】
このように、主磁極のトラック幅方向の側面に軟磁気特性を有するを安定化磁化膜とを具備することで、主磁極内部の磁区を安定化させ、非記録動作時のディスク記録媒体上に既に記録されている情報の劣化および消去を防止することが可能な磁気ヘッド及びこれを用いた磁気ディスク装置を提供することが可能となる。
【００１２】
【発明の実施の形態】
以下、図面を参照しながら、この発明をディスク装置として磁気ディスク装置に適用した実施の形態について詳細に説明する。
図１に、本発明の実施形態に係るディスク装置として、磁気ディスク装置を例に取りその構成を示す。この磁気ディスク装置は、２枚の固定ディスク３が実装されたハードディスク装置である。２枚の固定ディスク３はスピンドルモータ４に取付けられ、磁気ディスク装置の動作時に所定の回転数で回転するように制御される。この固定ディスクであるディスク記録媒体３は後に詳述するが記録層３３とこの記録層の下部に軟磁性層３２を有し、中心から同心円状に複数のトラックが配置されている。
【００１３】
このハードディスク装置には、後段で詳述する単磁極ヘッドを用いた記録ヘッドとＭＲ素子を用いた再生ヘッドからなる複合型の磁気ヘッド６が搭載されたサスペンションとステンレス製の薄板アームを３体積層したアクチュエータ７と、このアクチュエータ７を駆動するボイスコイルモータ８が設けられている。以上、磁気ディスク装置を構成するメカニズムは筐体内に収容されるものであり、機構部と称する。
【００１４】
筐体は、上蓋であるカバー２と収納容器であるハウジング１により構成され、カバー２はネジ５によってハウジング１に固定され、このハウジング１とカバー２により密閉空間を形成している。なお、カバー２が被せられたハウジング１の内部の密閉度を高めるために、ハウジング１とカバー２とはガスケット（図示せず）を挟んで密接される。
【００１５】
また、このハウジング１とカバー２により構成される筐体の外部、本実施形態においては、筐体のカバー２と反対側に、プリント回路基板１０が配置されている。このプリント回路基板１０には、磁気ディスク装置の機構部である、スピンドルモータ４、磁気ヘッド６、ボイスコイルモータ８等を制御する制御回路（ＩＣ回路）１１や、メモリであるＤＲＡＭ、ハードディスクコントローラ（ＨＤＣ）、サーボ制御回路が実装配線されており、コネクタ１２、１４により筐体内の各機構部と電気的に接続されている。
【００１６】
このプリント回路基板１０は筐体のハウジング１にネジ（図示せず）により固定されるが、その際、プリント回路基板１０に設けられたコネクタ１２は、ハウジング１側に設けられたコネクタ１４と嵌合するように取付けられる。
【００１７】
＜第１の実施形態＞
図２は、本発明の第１の実施形態に係る磁気ディスク装置に搭載される磁気ヘッドとディスク記録媒体の構造を示した図である。
図２（ａ）は、特に垂直記録方式を採用した垂直磁気ディスク装置に搭載される磁気ヘッド及びディスク記録媒体の構成を示す斜視図であり、図２（ｂ）は、トレーリング側からみた図であり、図４（ａ）は、本発明の実施形態に係る磁気ヘッドのＡＢＳ面、すなわち、ディスク記録媒体３に対向する側からみた形状を示す図である。
【００１８】
ディスク記録媒体である磁気ディスク３は、基板３１上に軟磁性層３２とディスク面に対して垂直方向に異方性を持つ垂直記録層３３を有する。磁気ヘッド６は、記録用ヘッドと再生用ヘッドとが分離された分離型磁気ヘッドであり、これらは１つのスライダ上に形成されている。記録ヘッド部はディスク面に対して垂直方向に磁界を発生させる主磁極６１と補助磁極６２から構成されており、補助磁極６２は、主磁極６１に対しディスク記録媒体３の回転方向に所定の間隔を有して配置され、主磁極６１から発生した磁界をディスク記録媒体３の軟磁性層３２を経由して引き込むための磁気経路を形成している。
【００１９】
また、主磁極６１の磁区を安定化させるために軟磁気特性を有する安定化磁化膜６５を主磁極６１のトラック幅方向サイド片側で主磁極６１ヨーク外側に配置させている。
【００２０】
本実施形態においては、特に、安定化磁化膜６５を主磁極６１のトラック幅方向側面の片側に軟磁気特性を有する材料で形成することにより、非動作時には、主磁極６１内の磁化がトラック幅方向に向きやすくなり、非動作時における主磁極６１内のディスク記録媒体方向の磁化の発生を抑制し、ディスク記録媒体３上に既に記録された情報を劣化させたり、消去したりしてしまうことを防止することができる。
【００２１】
図３は、図２（ａ）（ｂ）で示した本発明の第１の実施形態における磁気６ヘッドを用いた場合の効果を表す図である。ディスク記録媒体３上の予め情報が記録されたある特定領域（特定トラック）において、磁化情報を連続再生した出力を、記録動作回数を横軸にプロットした図である。
【００２２】
安定化磁化膜６５を持たない従来ヘッドでは（点線にて表示）、記録動作回数が多くなると、非記録動作時において主磁極磁化がディスク記録媒体面に対して完全に平行に戻らず、垂直成分を持つ場合に、予め記録された情報を劣化してしまう。特にこの例では予め記録された情報が階段状にその出力の劣化が生じていることがわかる。
【００２３】
一方、本発明の実施形態に係る磁気ヘッド６を用いた場合では、安定化磁化膜６５を主磁極６１の磁区を安定化させるために軟磁気特性を有する材料を用い主磁極６１のトラック幅方向サイド片側で主磁極６１ヨーク外側に配置させることにより、非記録動作時に、主磁極のディスク記録媒体３に対向する端部の先端磁化が、ディスク記録媒体面に対して完全平行となるため、非記録動作時に予め記録された情報の劣化せず、再生出力はほとんど減少しない。
【００２４】
また、図４（ｂ）は、安定化磁化膜６５の厚みを主磁極６１側に向かって序所に薄くしたものである。これにより、主磁極６１にトラック幅方向磁化を安定的に加えることができる。
【００２５】
図４は、安定化磁化膜６５のＡＢＳ端部、主磁極側に湾曲させ、細くした構成のものである。すなわち、安定化磁化膜            ６５はディスク記録媒体３に対向する端部と、当該端部以外の基礎部を有し、この端部のディスク記録媒体面と平行な面で切断した断面積が、基礎部のディスク記録媒体面と平行な面で切断した断面積よりも小さい構造になっている。このような構造によれば、主磁極６１の先端部近傍の磁化を安定化することがで、より非記録動作時における信号劣化を招きにくい構造をとることができる。
【００２６】
＜第２の実施形態＞
図６は、本発明の第２の実施形態であり、垂直記録方式を採用した磁気ディスク装置に搭載される磁気ヘッド及びディスク記録媒体の構成を示す斜視図であり、図７（ａ）は、図６で示される第２の実施形態のトラックサイドよりみたトラックセンターの垂直断面図（図中矢印Ａ−Ａ’断面）、図６（ｂ）は、トラックセンターより若干トラックサイドよりの位置の垂直断面図である。また、図８は、本発明の実施形態に係る磁気ヘッド６とディスク記録媒体３をトレーリング側からみた図である。
【００２７】
ディスク記録媒体３は、基板３１上に軟磁性層３２とディスク面に対して垂直方向に異方性を持つ垂直記録層３３を有する。磁気ヘッド６は、記録用ヘッドと再生用ヘッドが分離された分離型磁気ヘッドであり、これらは１つのスライダ上に形成されている。記録ヘッド部はディスク記録媒体面に対して垂直方向磁界を発生させる主磁極６１と補助磁極６２から構成されており、また、主磁極６１の磁区を安定化させるために軟磁気特性を有する安定化磁化膜６５を主磁極６１の上部からトラック幅方向サイド片側にかけて配置している。
【００２８】
すなわち、本実施形態に係る磁気ヘッド６は、主磁極６１はディスク記録媒体３に対向する主磁極６１の端部とディスク記録媒体対向面方向で、前記ディスク記録媒体３から主磁極６１の端部よりも離れた位置に主磁極他端部を有しており、さらに、安定化磁化膜６５は主磁極他端部に対向する他端部対向部と、主磁極６１の側面部に対向する側面部対向部とを有する構造となっている。
【００２９】
本実施形態のように、主磁極６１の上部にも軟磁化特性を有する軟磁性材料の層を配置することにより、浮遊磁界を収束させることができ、トラックの外側に及ぶ安定化磁化膜６５の先端部に発生したより強い磁界により、非動作時には、主磁極６１内の磁化がトラック幅方向に向きやすくなり、非動作時における主磁極６１内のディスク記録媒体方向の磁化発生を抑制し、ディスク記録媒体３上に既に記録された情報を劣化させたり、消去したりしてしまうことを防止することができる。
【００３０】
なお、他端部対向部と、側面部対向部とが同一材料で形成されることによりより効果が大きくなることは言うまでもない。
＜第３の実施形態＞
図９は、上述の第２の実施形態に示された安定化磁化膜６５のＡＢＳ面方向端部を主磁極６１側に湾曲させた構成の斜視図、図１０はこれをトレーリング側からみた図である。
【００３１】
すなわち、本実施形態に係る磁気ヘッド６は、主磁極６１はディスク記録媒体３に対向する主磁極６１の端部とディスク記録媒体対向面方向で、前記ディスク記録媒体３から主磁極６１の端部よりも離れた位置に主磁極他端部を有しており、さらに、安定化磁化膜６５は主磁極他端部に対向する他端部対向部と、主磁極６１の側面部に対向する側面部対向部とを有する構造となっているとともに、安定化磁化膜６５のＡＢＳ端部、主磁極側に湾曲させ、細くした構成のものである。すなわち、安定化磁化膜６５はディスク記録媒体３に対向する端部と、当該端部以外の基礎部を有し、この端部のディスク記録媒体面と平行な面で切断した断面積が、基礎部のディスク記録媒体面と平行な面で切断した断面積よりも小さい構造になっている。
【００３２】
このような構造によれば、不安定化しやすい主磁極６１の先端近傍に集中的に磁界を印加させることにより主磁極６１の先端内部の磁化を非記録時にトラック幅方向により安定化することができる。
【００３３】
＜第４の実施形態＞
図１１は、本発明の第４の実施形態であり、垂直記録方式を採用した磁気ディスク装置に搭載される磁気ヘッド６及びディスク記録媒体３の構成をしめすトラックサイドよりみた垂直断面図である。ディスク記録媒体３は、基板３１上に軟磁性層３２とディスク記録媒体面に対して垂直方向に異方性をもつ垂直記録層３３を有する。
【００３４】
磁気ヘッド６は、記録用ヘッドと再生用ヘッドが分離された分離型磁気ヘッドであり、記録ヘッド部はディスク記録媒体面に対して垂直方向磁界を発生させる主磁極６１と補助磁極６２から構成されており、また、主磁極６１の磁区を安定化させるために軟磁気特性を有する安定化磁化膜６５をトラック幅方向サイド片側に配置させ、安定化磁化膜６５と補助磁極６２を接続部６７を介して接続させる。
【００３５】
すなわち、ディスク記録媒体３の記録層をディスク記録媒体３の記録面に対して垂直方向に磁化するための磁界を発生する主磁極６１と、主磁極６１に対してディスク記録媒体３の回転方向に所定の間隔を有して配置され、主磁極６１から発生した磁界をディスク記録媒体３の軟磁性層３２を経由して引き込むための補助磁極６２と、主磁極６１のトラック幅方向の側面に軟磁気特性を有するを安定化磁化膜６５と、補助磁極６２と安定化磁化膜６５を磁気的に結合する接合部材６７とを具備したことが大きな特徴となる。
【００３６】
安定化磁化膜６５は、ヘッドＡＢＳ面側で細くなっている方が好ましいく、ＡＢＳ端部が主磁極６１側に湾曲した構成でもよい。
本実施形態の磁気ヘッドにおいて、記録電流印加時および切断時に補助磁極６２を通る磁束の一部が安定化磁化膜６５に流れることにより、安定化磁化膜６５先端から磁界が主磁極６１のトラック幅方向に印加され、主磁極６１の磁区が安定化して、主磁極６１内のディスク記録媒体方向磁化の発生を抑制し、ディスク記録媒体３上に既に記録されている情報の劣化及び消去を防止することができる。
【００３７】
＜第５の実施形態＞
図１２（ａ）、（ｂ）は、本発明の第５の実施形態であり、図１２（ａ）は、トラックサイドからみたトラックセンターの垂直断面図（図中矢印Ａ−Ａ’断面）、図１１（ｂ）は、トラックサイドより若干トラックサイドよりの位置の垂直断面図である。ディスク記録媒体３は、基板３１上に軟磁性層３２とディスク記録媒体３のディスク面に対して垂直方向に異方性をもつ垂直記録層３３を有する。
【００３８】
磁気ヘッド６は、記録用ヘッドと再生用ヘッドが分離された分離型磁気ヘッドであり、記録ヘッド部はディスク記録媒体３のディスク面に対して垂直方向磁界を発生させる主磁極６１と補助磁極６２から構成されており、また、主磁極６１の磁区を安定化させるために軟磁気特性を有する安定化磁化膜６５をトラック幅方向サイド片側に配置させ、安定化磁化膜６５と補助磁極６２を接続部材６７を介して接続させ、接続部材６７を周回するようにコイル６８を配置させる。
【００３９】
すなわち、主磁極６１はディスク記録媒体３に対向する主磁極端部とディスク記録媒体３の対向面方向で、ディスク記録媒体３から主磁極端部よりも離れた位置に主磁極他端部を有し、安定化磁化膜６５は主磁極他端部に対向する他端部対向部と、主磁極６１の側面部に対向する側面部対向部とを有し、接合部材６７は安定化磁化膜６５の他端部対向部と前記補助磁極とを磁気的に結合している。
【００４０】
そして、安定化磁化膜６５は補助磁極６２に対しディスク記録媒体３の回転方向に所定の間隔を有して配置されており、接合部材６７は安定化磁化膜６５と補助磁極６２に接触するように配置されるとともに、安定化磁化膜６５と補助磁極６２との間で、且つ、接合部材６７を取り囲むようにコイル６８が配置されている。
【００４１】
具体的には、安定化磁化膜６５の他端部対向部と補助磁極６２とを磁気的に接合する接合部材６７を取り囲むようコイル６８が配置させている。
また、安定化磁化膜６５は、ヘッドＡＢＳ面側で細くなっている、すなわち、すなわち、安定化磁化膜６５はディスク記録媒体３に対向する端部と、当該端部以外の基礎部を有し、この端部のディスク記録媒体面と平行な面で切断した断面積が、基礎部のディスク記録媒体面と平行な面で切断した断面積よりも小さい構造になっている方が好ましい。また、ＡＢＳ端部が主磁極６１側に湾曲した構成でもよい。
【００４２】
コイル６８に流す電流の制御は、図１６のようなブロック図で示される構成をしており、図１５（ａ）、（ｂ）、（ｃ）に示されたように、ディスク記録媒体３に記録するためにコイル６６に流される記録電流のタイミングに合わせ行われる。図１５（ａ）はディスク記録媒体３に記録するためにコイル６６に流される記録電流切り替えの図を示したものであり、図１５（ｂ）、（ｃ）はコイル６８に流す電流切り替え図を示したものであり、コイル６８に流される電流は、図１５（ｂ）のように、コイル６６に流される記録電流が０になる直前に短時間流してもよいし、図１５（ｃ）のようにコイル６６に流される記録電流が０になる直後に短時間流してもよい。
【００４３】
コイル６８に流される電流は、一定電流を流すものであってもよいし、また、徐々に減衰していく電流を流してもよい。この構成の磁気ヘッド６において、安定化磁化膜６５先端からの発生する磁界をコイル６８に流す電流によって制御することにより、主磁極６１の磁区安定化に際し、最適な磁界を安定化磁化膜６５の先端から発生させることができ、主磁極６１内のディスク記録媒体面に対して垂直方向の磁化発生を抑制し、ディスク記録媒体３上に既に記録されている情報の劣化及び消去を防止することができる。
【００４４】
＜第６の実施形態＞
図１３は、本発明の第６の実施形態であり、トラックサイドよりみた垂直断面図である。ディスク記録媒体３は、基板３１上に軟磁性層３２とディスク記録媒体面に対して垂直方向に異方性をもつ垂直記録層３３を有する。磁気ヘッド６は、記録用ヘッドと再生用ヘッドが分離された分離型磁気ヘッドであり、記録ヘッド部はディスク記録媒体面に対して垂直方向磁界を発生させる主磁極６１と補助磁極６２から構成されており、また、主磁極６１の磁区を安定化させるために軟磁気特性を有する安定化磁化膜６５を主磁極６１の上部からトラック幅方向サイド片側にかけて配置させ、安定化磁化膜６５と補助磁極６２を接続部材６７を介して接続させる。
【００４５】
この接続部材６７は、情報記録用に巻かれたコイル６６の一部をまたぐように配置されている。安定化磁化膜６５は、ヘッドＡＢＳ面側で細くなっている方が好ましい。また、ＡＢＳ端部が主磁極６１側に湾曲した構成でもよい。
【００４６】
この構成の磁気ヘッド６において、記録電流印加時および切断時に補助磁極を通る磁束の一部が安定化磁化膜６５に流れることにより、安定化磁化膜６５先端から磁界が主磁極６１のトラック幅方向に印加され、主磁極６１の磁区が安定化し、主磁極６１内のディスク記録媒体３方向の磁化発生を抑制し、ディスク記録媒体３上に既に記録されている情報の劣化及び消去を防止することができる。
【００４７】
＜第７の実施形態＞
図１４は、本発明の第７の実施形態であり、トラックサイドよりみた垂直断面図である。ディスク記録媒体３は、基板３１上に軟磁性層３２とディスク記録媒体面に対して垂直方向に異方性をもつ垂直記録層３３を有する。磁気ヘッド６は、記録用ヘッドと再生用ヘッドが分離された分離型磁気ヘッドであり、記録ヘッド部はディスク記録媒体面に対して垂直方向磁界を発生させる主磁極６１と補助磁極６２から構成されており、また、主磁極６１の磁区を安定化させるために軟磁気特性を有する安定化磁化膜６５を主磁極６１の上部からトラック幅方向サイド片側にかけて配置させ、安定化磁化膜６５の一部からトレーリング側に突出部６９を設け、突出部６９を周回するようにコイル６８を配置させる。
【００４８】
すなわち、ディスク記録媒体３の記録層をディスク記録媒体３の記録面に対して垂直方向に磁化するための磁界を発生する主磁極６１と、ディスク記録媒体３の回転方向に突出部６９を有し、主磁極６１のトラック幅方向の側面に配置され軟磁気特性を有する安定化磁化膜６５と、この突出部６９を取り囲むように配置されたコイル６８とを有する構造をとるものである。
【００４９】
コイル６８に流す電流の制御は、図１６のブロック図で示される構成をしており、図１５（ａ）、（ｂ）、（ｃ）に示されたように、ディスク記録媒体３に記録するためにコイル６６に流される記録電流のタイミングに合わせ行われる。図１５（ａ）はディスク記録媒体３に記録するためにコイル６６に流される記録電流切り替えの図を示したものであり、図１５（ｂ）、（ｃ）はコイル６８に流す電流切り替え図を示したものであり、コイル６８に流される電流は、図１５（ｂ）のように、コイル６６に流される記録電流が０になる直前に短時間流してもよいし、図１５（ｃ）のようにコイル６６に流される記録電流が０になる直後に短時間流してもよい。コイル６８に流される電流は、一定電流を流すものであってもよいし、また、徐々に減衰していく電流を流してもよい。
【００５０】
この構成の磁気ヘッド６において、安定化磁化膜６５先端からの発生する磁界をコイル６８に流す電流によって制御することにより、主磁極６１の磁区安定化に際し最適な磁界を安定化磁化膜６５先端から発生させることができ、主磁極６１内のディスク記録媒体方向の磁化発生を抑制し、ディスク記録媒体３上に既に記録されている情報の劣化及び消去を防止できることができる。
【００５１】
【発明の効果】
以上詳述したように本発明によれば、主磁極内部の磁区を安定化させ、非記録動作時のディスク記録媒体上に既に記録されている情報の劣化および消去を防止することが可能な磁気ヘッド及びこれを用いた磁気ディスク装置を提供することが可能となる。
【図面の簡単な説明】
【図１】本発明の実施形態に係る磁気ディスク装置の構造を説明する分解斜視図。
【図２】本発明の第１の実施形態に係る磁気ヘッド及びディスク記録媒体の構造図。
【図３】本発明の実施形態に係る磁気ヘッドと従来の磁気ヘッドの記録動作回数と再生出力の関係を表すグラフ。
【図４】本発明の第１の実施形態に係る磁気ヘッドのＡＢＳ面から見た図。
【図５】本発明の第１の実施形態の変形例に係る磁気ヘッド及びディスク記録媒体の構造図。
【図６】本発明の第２の実施形態に係る磁気ヘッド及びディスク記録媒体の構造を示す斜視図。
【図７】本発明の第２の実施形態に係る磁気ヘッド及びディスク記録媒体のトラックサイド側からみた垂直断面図。
【図８】本発明の第２の実施形態に係る磁気ヘッド及びディスク記録媒体のトレーリング側からみた図。
【図９】本発明の第３の実施形態に係る磁気ヘッド及びディスク記録媒体の構造を示す斜視図。
【図１０】本発明の第３の実施形態に係る磁気ヘッド及びディスク記録媒体のトレーリング側からみた図。
【図１１】本発明の第４の実施形態に係る磁気ヘッド及びディスク記録媒体のトラックサイド側からみた垂直断面図。
【図１２】本発明の第５の実施形態に係る磁気ヘッド及びディスク記録媒体のトラックサイド側からみた垂直断面図。
【図１３】本発明の第６の実施形態に係る磁気ヘッド及びディスク記録媒体のトラックサイド側からみた垂直断面図。
【図１４】本発明の第７の実施形態に係る磁気ヘッド及びディスク記録媒体のトラックサイド側からみた垂直断面図。
【図１５】本発明の第５〜第７の実施形態におけるコイルへの記録電流を示す図。
【図１６】本発明の第５〜第７の実施形態における電流制御を実現する回路ブロック図。
【符号の説明】
１………ケース
２………カバー
３………ディスク記録媒体
３１……基板
３２……軟磁性下地層
３３……磁気記録層
４………スピンドルモータ
６………磁気ヘッド
６１……主磁極
６２……補助磁極
６５……安定化磁化膜
６６……コイル
６７……接続部材
６８……コイル
６９……突出部
７………アーム
８………ボイスコイルモータ
１０……回路基板ユニット
１１……ＩＣチップ
１２……コネクタ
１３……記録電流制御器
１４……磁化安定化用アンプ
１５……信号記録用アンプ
【図１】
2004310968.tif 000003
【図２】
2004310968.tif 000004
【図３】
2004310968.tif 000005
【図４】
2004310968.tif 000006
【図５】
2004310968.tif 000007
【図６】
2004310968.tif 000008
【図７】
2004310968.tif 000009
【図８】
2004310968.tif 000010
【図９】
2004310968.tif 000011
【図１０】
2004310968.tif 000012
【図１１】
2004310968.tif 000013
【図１２】
2004310968.tif 000014
【図１３】
2004310968.tif 000015
【図１４】
2004310968.tif 000016
【図１５】
2004310968.tif 000017
【図１６】
2004310968.tif 000018